(57)【要約】【課題】一覧表示された縮小画像について画質が劣化しない拡大画像を即座に得る。【解決手段】ユーザがサムネイル画像を形成すべきページを設定すると、画像入力部が順次生成する画像データに対して、サムネイル画像を形成すべきページである場合は当該画像データを圧縮して記憶部に記憶し、サムネイル画像を形成すべきページでない場合は当該画像データを圧縮せずに記憶部に記憶させる。  次に、サムネイルの一覧画面においてサムネイル画像が選択され（ステップＳ１２）、プレビューボタンが押下されると（ステップＳ１３）、選択されたサムネイル画像の非圧縮の画像データを記憶部から読み出してプレビュー画面を表示する（ステップＳ１４）。ここで各種操作ボタンが操作されると（ステップＳ１５）、プレビュー窓に表示された画像の表示倍率や、元画像データにおける表示部分が変更される（ステップＳ１６）。【選択図】図６
2007150556.tif 000002
【特許請求の範囲】
【請求項１】
複数ページからなる画像データを入力する入力手段と、
前記入力手段から入力された画像データを圧縮処理する圧縮手段と、
画像データを記憶する記憶手段と、
画像データを縮小する縮小手段と、
入力された前記複数ページからなる画像データのうち所定ページの画像データについては非圧縮データ状態で前記記憶手段に記憶し、前記所定ページ以外の画像データについては前記圧縮手段で圧縮した圧縮データ状態で前記記憶手段に記憶する記憶制御手段と、
前記記憶手段に記憶された非圧縮データ状態の画像データを読み出し、前記縮小手段で縮小させて表示する表示手段と
を具備することを特徴とする画像処理装置。
【請求項２】
ユーザによって操作される操作手段と、
前記操作手段の操作内容に従って前記所定ページを設定する所定ページ設定手段と
を具備することを特徴とする請求項１に記載の画像処理装置。
【請求項３】
前記所定ページは先頭ページであることを特徴とする請求項１または２記載の画像処理装置。
【請求項４】
前記各ページの画像データを解析して白紙か否かを判定する白紙判定手段を有し、
前記白紙判定手段が白紙と判定したページ以外が前記所定ページとして設定されることを特徴とする請求項１記載の画像処理装置。
【請求項５】
複数ページからなる画像データを入力する入力ステップと、
入力された前記複数ページからなる画像データのうち所定ページの画像データについては非圧縮データ状態で記憶手段に記憶し、前記所定ページ以外の画像データについては圧縮データ状態で前記記憶手段に記憶する記憶制御ステップと、
前記記憶手段に記憶された非圧縮データ状態の画像データを読み出し、当該画像データを縮小して表示する表示ステップと
を具備することを特徴とする画像処理方法。
【請求項６】
複数ページからなる画像データを入力する入力手段と、
前記入力手段から入力された画像データを圧縮処理する圧縮手段と、
画像データを記憶する記憶手段と、
画像データを縮小する縮小手段と、
入力された前記複数ページからなる画像データのうち所定ページの画像データについては非圧縮データ状態で前記記憶手段に記憶し、前記所定ページ以外の画像データについては前記圧縮手段で圧縮した圧縮データ状態で前記記憶手段に記憶する記憶制御手段と、
前記記憶手段に記憶された非圧縮データ状態の画像データを読み出し、前記縮小手段で縮小させて表示する表示手段と
を具備し、前記入力手段、前記圧縮手段、前記記憶手段、前記縮小手段、前記記憶制御手段および前記表示手段のうち少なくとも一つがネットワークを介して接続されていることを特徴とする画像処理システム。
【発明の詳細な説明】
【技術分野】
【０００１】
本発明は、入力された画像データに対して画像処理を行うとともに、この画像データの一部を縮小して一覧表示を行う画像処理装置、画像処理方法および画像処理システムに関する。
【背景技術】
【０００２】
複写機やプリンタあるいはパーソナルコンピュータやデジタルカメラなどの画像処理を行う装置においては、入力された画像データを記憶し、記憶した画像データを縮小して一覧表示を行うようにした機能を有するものがある。このような一覧表示機能があると、その一覧から画像処理（プリントアウト等）をしたい画像データを選択することができ便利である。
【０００３】
このような画像処理装置において、記憶する画像データの容量を削減するために、画像データを圧縮して記憶する技術が知られている（例えば、特許文献１）。しかし特許文献１においては、圧縮された画像データをいったん解凍して画像データを復元し、復元された画像データを縮小して一覧表示を行う必要があった。そのため、一覧表示処理に時間がかかるという問題があった。
そこで特許文献２では、圧縮した画像データと縮小した画像データとを作成して、これらのデータを対応付けて記憶し、一覧表示を行う場合は縮小した画像データを読み出して表示している。これにより、一覧表示処理に時間がかからず、素早く一覧表示を行うことができる。
【特許文献１】特開平３−２５８５６９号公報
【特許文献２】特開平１０−２４３１９４号公報
【発明の開示】
【発明が解決しようとする課題】
【０００４】
しかしながら、一覧表示される画像は縮小した画像であるため、縮小画像（いわゆるサムネイル画像）ではその内容が確認しにくく、どれを選択してよいか分からないという状態になることがあった。例えば、出力したい画像が文書画像であり、複数の文書画像が一覧表示されている場合、一覧表示された縮小画像を見ただけでは文字が読めないため文書の内容を確認できず、どれが所望の文書画像であるか選択することができなかった。そこで、一覧表示された縮小画像を所望の大きさに拡大して見ることができると便利である。
【０００５】
特許文献２では、圧縮した画像データを持っているため、画質を劣化させずに拡大することができる。しかし、この場合は特許文献１と同様に、圧縮された画像データをいったん解凍して画像データを復元し、復元された画像データを所望の大きさに縮小して表示するため、処理に時間がかかるという問題が生じる。また、表示されている縮小画像を拡大して上記問題を解決すると、縮小画像は元の画像データからデータを間引いて生成されるため、この縮小画像を拡大表示すると表示される画像が著しく劣化し、内容を確認するという当初の目的を果たすことが難しい。
【０００６】
本発明は上記事情に鑑みてなされたものであり、一覧表示において選択される縮小画像を所望の大きさで表示でき、かつ、画質が劣化せず、表示の時間もかからない画像処理装置、画像処理方法および画像処理システムを提供することを目的とする。
【課題を解決するための手段】
【０００７】
上述した課題を解決するために本発明は、複数ページからなる画像データを入力する入力手段と、前記入力手段から入力された画像データを圧縮処理する圧縮手段と、画像データを記憶する記憶手段と、画像データを縮小する縮小手段と、入力された前記複数ページからなる画像データのうち所定ページの画像データについては非圧縮データ状態で前記記憶手段に記憶し、前記所定ページ以外の画像データについては前記圧縮手段で圧縮した圧縮データ状態で前記記憶手段に記憶する記憶制御手段と、前記記憶手段に記憶された非圧縮データ状態の画像データを読み出し、前記縮小手段で縮小させて表示する表示手段とを具備する画像処理装置を提供する。
【０００８】
また、より望ましい様態においては、ユーザによって操作される操作手段と、前記操作手段の操作内容に従って前記所定ページを設定する所定ページ設定手段とを具備する。
さらに望ましい様態においては、前記所定ページは先頭ページである。
さらに望ましい様態においては、前記各ページの画像データを解析して白紙か否かを判定する白紙判定手段を有し、白紙判定手段が白紙と判定したページ以外が前記所定ページとして設定される。
【０００９】
また、本発明は複数ページからなる画像データを入力する入力ステップと、入力された前記複数ページからなる画像データのうち所定ページの画像データについては非圧縮データ状態で記憶手段に記憶し、前記所定ページ以外の画像データについては圧縮データ状態で前記記憶手段に記憶する記憶制御ステップと、前記記憶手段に記憶された非圧縮データ状態の画像データを読み出し、当該画像データを縮小して表示する表示ステップとを具備する画像処理方法を提供する。
【００１０】
さらに、本発明は複数ページからなる画像データを入力する入力手段と、前記入力手段から入力された画像データを圧縮処理する圧縮手段と、画像データを記憶する記憶手段と、画像データを縮小する縮小手段と、入力された前記複数ページからなる画像データのうち所定ページの画像データについては非圧縮データ状態で前記記憶手段に記憶し、前記所定ページ以外の画像データについては前記圧縮手段で圧縮した圧縮データ状態で前記記憶手段に記憶する記憶制御手段と、前記記憶手段に記憶された非圧縮データ状態の画像データを読み出し、前記縮小手段で縮小させて表示する表示手段とを具備し、前記入力手段、前記圧縮手段、前記記憶手段、前記縮小手段、前記記憶制御手段および前記表示手段のうち少なくとも一つがネットワークを介して接続されている画像処理システムを提供する。
【発明の効果】
【００１１】
本発明によれば、一覧表示された縮小画像について画質が劣化しない拡大画像を即座に得ることができる。
【発明を実施するための最良の形態】
【００１２】
以下、本発明に関する一実施形態について説明する。
＜構成＞
図１は本発明の一実施形態である画像形成装置１の概略構成を示す図である。図１に示すように、２は筐体であり、内部には後述する制御部５が設けられている。また、この筐体２の下部には図示せぬ用紙収納部が設けられており、この用紙収納部から搬送された用紙に対して画像が印刷されるようになっている。
【００１３】
３は画像入力部であり、筐体２の上方に設けられている。画像入力部３には、原稿をプラテンガラス上に搬送するフィーダが設けられており、プラテンガラス上に搬送された原稿の画像は図示せぬＣＣＤ（Charge Coupled Device）等のデバイスにより、画像データに変換される。また、図１に示す６は表示操作部であり、画像入力部３の手前側であって装置前面の上部に設けられている。表示操作部６には、例えば、図２に示すような表示が行われる。
【００１４】
図３は、画像形成装置１のブロック図である。図３において、制御部５はＣＰＵ（Central Processing Unit）５１を有している。ＣＰＵ５１は、ＲＯＭ５２に格納されている各種制御プログラムをＲＡＭ５３に読み出し、ＲＡＭ５３をワークエリアとして用いて、読み出した各種制御プログラムを実行する。
また、４は記憶部であり、入力画像データや、この入力画像データを縮小したデータなどが記憶される。この記憶部４には、例えば、ハードディスク装置が用いられる。
【００１５】
上述した表示操作部６は、制御部５の制御の下に、例えば、操作を促すメッセージや処理状況を示す種々の表示を行うとともに、各種の操作の入力も受け付ける。表示操作部６は、液晶ディスプレイとその表示面に重ねて配置される透明のタッチパネルとを有しており、表示操作部６のタッチパネル上の押圧位置は、ＣＰＵ５１によって検出され、これによってどのような操作が行われたが認識されるようになっている。また、表示操作部６の表示画面は長方形状になっている（図２、図５、図７、図８参照）。
【００１６】
８は画像形成部であり、この画像形成部８は、制御部５によって処理された画像データを用紙に転写して画像形成を行う。より詳細に言えば、画像形成部８は、制御部５から供給される画像データに基づいて、Ｙ（イエロー）、Ｍ（マゼンタ）、Ｃ（シアン）、Ｋ（ブラック）の各色のトナー像を感光体ドラム（図示略）上に順次形成し、これらのトナー像を用紙に重ねて転写することにより、カラー画像を形成する。
【００１７】
＜動作＞
（サムネイル設定動作）
次に、本実施形態の動作について説明する。まず、制御部５は、電源投入後においては、表示操作部６に初期画面（図示略）を表示する。この初期画面からコピー動作や種々のモードに対応する画面へ移行できるようになっている。ここで、サムネイルに関する処理への移行を指示するボタンが押されると、制御部５は表示操作部６に図５に示す画面を表示する。
【００１８】
図５に示す画面の左上部分にはサムネイル設定ボタン６１が表示され、左下角部にはサムネイル一覧ボタン６６が表示される。サムネイル設定ボタン６１は、画像入力部３によって読み込まれる原稿画像のどのページについてサムネイル画像を形成するかを指定する画面に移行させるときに押されるボタンであり、サムネイル一覧ボタン６６は画像入力部３によって読み込まれた原稿画像のサムネイルを表示させるときに押されるボタンである。
【００１９】
ここで、サムネイル設定ボタン６１が押下されると、制御部５は図４（ａ）に示すフローの処理を実行し、図２に示すようなサムネイル設定画面を表示操作部６に表示する（ステップＳ１）。図２に示すサムネイル設定画面において、６２は先頭ページ指定ボタンであり、原稿画像の先頭ページについてサムネイル画像を生成することを指定するボタンである。また、６３は白紙ページ除外ボタンであり、原稿画像のうち白紙のページを除外して、白紙以外のページについてサムネイル画像の形成を指定するボタンである。
【００２０】
６４はページ指定窓であり、ユーザがサムネイル画像を形成すべきページ番号を選択する際に、候補となるページ番号が表示される窓である。このページ指定窓６４の上方および下方には、各々ページ送りボタン６４ａおよびページ戻しボタン６４ｂが設けられている。ユーザがページ送りボタン６４ａを押すと、サムネイル画像を形成すべきページの候補の番号がインクリメントされ、ページ戻しボタン６４ｂを押すと、サムネイル画像を形成すべきページの候補の番号がデクリメントされる。６４ｃは選択ボタンであり、この選択ボタン６４ｃが押されると、その時点においてページ指定窓６４に表示されているページ番号が、サムネイル画像を形成するページとしてページ選択リスト６４ｄに登録される。図示のページ選択リスト６４ｄには、ページ番号１，２，５，６，８が選択された状態が表示されている。
【００２１】
また、６５は設定ボタンであり、上述した各ボタンを用いてユーザが選択したサムネイル画像を形成すべきページを確定するボタンである。この設定ボタン６５が押されると、その時点において選択されていたサムネイル画像を形成すべきページを指定する情報（例えば、先頭ページ、白紙以外のページ、ページ選択リスト６４ｄに登録されたページを示す情報。以下サムネイル設定情報という）が、ＲＡＭ５３に記憶される（ステップＳ２）。また、設定ボタン６５が押されると、制御部５は表示操作部６に表示する画面を、所定の画面（例えば、初期画面など）に戻す。
【００２２】
（サムネイル表示動作）
次に、ユーザによりサムネイル画像を作成する原稿がフィーダにセットされ、所定の読み込み開始ボタン（図示略）が押されると、制御部５は図４（ｂ）のフローの処理を実行する。これにより、フィーダはセットされた原稿を順次プラテンガラスに搬送し、画像入力部３は順次搬送される原稿画像を読み込んで画像データに変換する（ステップＳ３）。この時、制御部５は、フィーダが搬送する原稿画像のページ数をカウントし、画像入力部３で生成された画像データのページ番号を認識する。
続いて、制御部５はＲＡＭ５３が記憶しているサムネイル設定情報に基づいて、画像入力部３が順次生成する画像データに対して、サムネイル画像を形成すべきページであるか否かを判定する（ステップＳ４）。
【００２３】
ここで、ステップＳ４のサムネイル画像の判別内容について説明する。例えばＲＡＭ５３に記憶されているサムネイル設定情報の内容が「先頭ページについてサムネイル画像を生成する」であった場合、制御部５は先頭ページ（ページカウント値が１）の画像データであるかどうかを判定する。また、サムネイル設定情報が「白紙以外のページについてサムネイル画像を生成する」であった場合、画像入力部３から供給される画像データを解析して白か否かを判定する。また、サムネイル設定情報が「ページ選択リスト６４ｄに登録されたページについてサムネイル画像を生成する」であった場合、画像入力部３から供給される画像データのページ番号が、それらに一致しているかどうかを判定する。
【００２４】
上述の判定結果が「ＮＯ」の場合、すなわち、サムネイル画像を形成すべき画像データではない場合は、制御部５は、当該画像データを圧縮する（ステップＳ５）。この圧縮処理は、画像データを圧縮できればどのような方法でも構わないが、例えば特開平３−２５８５６９号公報に示されるものがある。続いて、制御部５はこの圧縮した画像データを記憶部４に記憶させる（ステップＳ６）。
一方、上述の判定結果が「ＹＥＳ」の場合、制御部５は当該画像データについてはサムネイル画像を生成すべき画像データであると認識して、当該画像データを圧縮せずに記憶部４に記憶させる（ステップＳ６）。
【００２５】
以後、上述した処理をフィーダが搬送する全てのページについて行い（ステップＳ７）、全てのページについて処理が行われると、制御部５は図４（ｂ）示すフローの処理を終了する。この処理によって、フィーダが搬送した全てのページについての画像データが圧縮または非圧縮の状態で一つのフォルダに記憶される。
【００２６】
ここで、ステップＳ５において画像データを圧縮すると、画像データのフォーマットが変換される。このため、圧縮した画像データと非圧縮の画像データとは、異なるフォーマットで記憶部４に記憶される。その結果、制御部５は一つのフォルダに記憶された画像データが圧縮した画像データなのか、非圧縮の画像データなのかを判別することができる。
【００２７】
また、制御部５が画像データを記憶部４に記憶させる際、例えば圧縮した画像データを「１」、非圧縮の画像データを「０」というフラグを付加して記憶させると、このフラグの判別により、一つのフォルダに記憶された画像データが圧縮した画像データなのか非圧縮の画像データなのかを、より高速に判別することができる。
【００２８】
（サムネイル表示）
表示操作部６に図５に示す画面が表示されている状態から、サムネイル一覧ボタン６６が押下されると、制御部５は図６に示すフローの処理を実行する。まず、制御部５は記憶部４のフォルダの中から、非圧縮の画像データのフォーマットを判別して読み込み、縮小してサムネイル画像を生成する（ステップＳ１０）。この縮小処理は、例えば画像データの画素を間引いて縮小する方法がある。制御部５は、全てのフォルダについてステップＳ１０の動作を繰り返し、記憶部４に記憶されている全ての画像データのサムネイル画像を生成する。続いて、生成したこれらのサムネイル画像を所定の位置に並べ、表示操作部６に図７に示すサムネイル画像の一覧画面を表示する（ステップＳ１１）。
【００２９】
次に、表示操作部６に表示されたサムネイル画像の一覧画面について説明する。図７に示すように、サムネイルの一覧画面には複数のサムネイル画像が並べられており、各サムネイル画像の下方には、「文章名１」「文章名２」のようなフォルダ名が表示されている。ここで、同じフォルダ名で複数のサムネイル画像が表示されている場合は「文章名３−１」「文章名３−２」のように同じフォルダのサムネイル画像であることが分かる、一意の名前が表示されている。
【００３０】
ここで、表示操作部６のサムネイル画像が表示されている部分が押下されると、サムネイル画像の周囲には枠が表示される。この枠は、枠に囲まれたサムネイル画像が現在選択されていることを示す表示である。また、他のサムネイル画像が押下された場合は、この枠が移動され、他のサムネイル画像の周囲に枠が表示される。なお、枠の表示に代えてサムネイル画像の反転表示や矢印表示などで選択されているサムネイル画像を示すようにしてもよい。
【００３１】
図７に示すサムネイル画像の一覧画面の右端には、印刷ボタン７１とプレビュー表示ボタン６７が表示されている。サムネイル画像が選択された後に、印刷ボタン７１が押下されると、選択された画像の印刷が指示される。また、サムネイル画像が選択された後に、プレビュー表示ボタン６７が押下されると、選択された画像について、任意の箇所を拡大表示する処理が指示される。
【００３２】
ここで、例えば、「文書名１」のサムネイル画像が選択されると、制御部５は「文章名１」のサムネイル画像の周囲に枠を表示する（ステップＳ１２）。続いてプレビュー表示ボタン６７が押下されると（ステップＳ１３：ＹＥＳ）、制御部５は選択された「文書名１」のサムネイル画像の非圧縮の画像データを記憶部４から読み出して、この非圧縮の画像データを所定の大きさに縮小して、表示操作部６の所定の位置に表示する。これにより、表示操作部６には図８に示すプレビュー表示画面が表示される（ステップＳ１４）。
【００３３】
次に、このプレビュー表示画面について説明する。プレビュー表示画面の右端には、非圧縮の画像データが表示されるプレビュー窓７２がある。この非圧縮の画像データは、プレビュー画面に表示される各種操作ボタンの操作に従って、表示倍率や、元画像データにおける表示部分が変更される。次に、この操作ボタンについて説明する。
【００３４】
プレビュー画面の中央部には、倍率表示窓６８が表示されている。この倍率表示窓６８は、画面の右端に表示されている非圧縮の画像データの表示倍率を示す窓である。
この倍率表示窓６８の上方および下方には、各々拡大ボタン６８ａおよび縮小ボタン６８ｂが設けられている。この拡大ボタン６８ａが押されると、倍率表示窓６８に表示される数字が大きくなり、拡大ボタン６８ａが押され続けると、押されている間、倍率表示窓６８に表示される数字は次第に大きくなっていく。また、縮小ボタン６８ｂが押されると、倍率表示窓６８に表示される数字が小さくなり、縮小ボタン６８ｂが押され続けると、倍率表示窓６８に表示される数字は次第に小さくなっていく。
【００３５】
倍率表示窓６８の左端には、位置操作ボタン６９が表示されている。この位置操作ボタン６９は、プレビュー窓７２に表示される画像の元画像データにおける表示部分を上下左右に移動して表示するボタンであり、６９ａは表示部分を上方に移動させる上ボタン、６９ｂは表示部分を下方に移動させる下ボタン、６９ｃは表示部分を右に移動させる右ボタン、６９ｄは表示部分を左に移動させる左ボタンである。これらの位置操作ボタン６９を押し続けると、各々の所定の方向に連続的に移動する。例えば、右ボタン６９ｃが継続して押されると、表示されている画像は連続的に右方向に移動し、下ボタン６９ｂが継続して押されると、表示されている画像は連続的に下方向に移動する。
【００３６】
また、プレビュー画面の右端角部には、戻るボタン７０が表示されている。この戻るボタン７０が押下されると、表示操作部６に表示される画面は、図７に示すサムネイルの一覧画面に戻る。
【００３７】
ここで、拡大ボタン６８ａが継続して押され、倍率表示窓６８に「２００％」と表示されたところで拡大ボタン６８ａが離されると（ステップＳ１５：ＹＥＳ）、制御部５が記憶部４に記憶された非圧縮の画像を２００％に拡大してプレビュー窓７２に表示する（ステップＳ１６）。続いて、下ボタン６９ｂが継続して押され、非圧縮の画像の最下方部が表示されたときに離されると（ステップＳ１５：ＹＥＳ）、プレビュー窓７２には、非圧縮の画像の最下方部が表示される（ステップＳ１６）。
【００３８】
例えば、サムネイルの一覧画面で表示されたサムネイル画像が文章画像などであり、サムネイル画像では小さすぎて内容を確認しづらいときに、プレビュー表示を行うと、その文章画像の特徴的な部分を拡大して表示させることができるため、表示された画像が所望の画像であるか否かを容易に確認することができる。また、プレビュー表示を行った画像が所望の画像でなかったときは、戻るボタン７０を押下することにより、図７に示すサムネイルの一覧画面に戻る。これにより、ユーザは異なるサムネイル画像を再度プレビュー表示させて、所望の画像を検索することができる。
【００３９】
（印刷動作）
次に、上述のように確認した画像を印刷する動作について説明を行う。表示操作部６にサムネイルの一覧画面が表示された状態で、出力したいサムネイル画像が選択され、続いて印刷ボタン７１が押されると、制御部５は記憶部４の該当するフォルダから圧縮したデータと非圧縮のデータとを読み出し、圧縮したデータについては解凍処理を行う。この解凍処理は、圧縮データを解凍できればどのような方法であっても構わないが、例えば特開平３−２５８５６９号公報が示すように、圧縮データを伸長して解凍処理するものがある。制御部５は、解凍した圧縮データと非圧縮のデータとを合わせて出力する画像データを生成し、画像形成部８に供給する。画像形成部８はこの出力画像データに基づいて各色のトナー像を形成し、これらのトナー像を用紙に重ねて転写し、カラー画像を形成して、カラー画像が形成された用紙を出力する。
【００４０】
＜変形例＞
以上、本発明の実施形態について説明したが、本発明は上述した実施形態に限定されることなく、他の様々な形態で実施可能である。
（１）上述した実施形態では、サムネイル画像を生成するページとして先頭ページや白紙以外のページ、またはページ選択リスト６４ｄに登録されたページを設定する例を説明したが、例えばサムネイル画像を設定するページとして２ページ目を指定する設定であっても構わない。また、デフォルトの設定として、先頭ページについてサムネイル画像を形成するようにしてもよい。
【００４１】
（２）上述した実施形態では、全ての機能を１つの画像形成装置１で実現しているが、複数の装置で実現してもよい。例えば、端末装置や画像処理装置を画像形成装置１とネットワークでつなぎ、それらを表示操作部６として機能させることもできる。また、これに限らず、記憶部４、画像入力部３、画像形成部８あるいは制御部５の機能を持つ端末装置をネットワークを介して接続して用いても良い。すなわち、実施形態における各部の機能のうち一つまたは２以上についてネットワークを介して接続し、全体としてシステムとして構成してもよい。
【００４２】
（３）上述した実施形態では、画像処理装置を複写機として説明したが、例えば写真プリント用のサムネイル画像を一覧表示する写真プリント確認用の端末装置や撮影した画像を記憶して液晶パネルで一覧表示を行うデジタルカメラであっても構わない。
【００４３】
（４）上述した実施形態では、サムネイル画像の表示画面をタッチパネルに表示させ、このタッチパネルが押下されることによりサムネイル画像の選択を行ったが、サムネイル画像の選択を行う操作手段はこれに限らない。例えば、サムネイルの一覧画面を液晶ディスプレイに表示させ、表示されているサムネイル画像をマウスやキーボードを用いて選択する態様でもよい。
【図面の簡単な説明】
【００４４】
【図１】本発明の実施形態である画像形成装置１の概略構成を示す斜面図である。
【図２】同実施形態に係る表示操作部６のサムネイル設定画面を示す図である。
【図３】同実施形態に係る画像形成装置１のブロック図である。
【図４】同実施形態に係るサムネイル画像の設定と生成動作を示すフロー図である。
【図５】同実施形態に係る表示操作部６のサムネイルの処理に関する画面を示す図である。
【図６】同実施形態に係るプレビュー表示動作を示すフロー図である。
【図７】同実施形態に係る表示操作部６のサムネイル画像の一覧画面を示す図である。
【図８】同実施形態に係る表示操作部６のプレビュー表示画面を示す図である。
【符号の説明】
【００４５】
１…画像形成装置、２…筐体、３…画像入力部、４…記憶部、５…制御部、６…表示操作部、８…画像形成部、５１…ＣＰＵ、５２…ＲＯＭ、５３…ＲＡＭ、６１…サムネイル設定ボタン、６２…先頭ページ指定ボタン、６３…白紙ページ除外ボタン、６４…ページ指定窓、６４ａ…ページ送りボタン、６４ｂ…ページ戻しボタン、６４ｃ…選択ボタン、６４ｄ…ページ選択リスト、６５…設定ボタン、６６…サムネイル一覧ボタン、６７…プレビュー表示ボタン、６８…倍率表示窓、６８ａ…拡大ボタン、６８ｂ…縮小ボタン、６９…位置操作ボタン、６９ａ…上ボタン、６９ｂ…下ボタン、６９ｃ…右ボタン、６９ｄ…左ボタン、７０…戻るボタン、７１…印刷ボタン、７２…プレビュー窓。 
【図１】
2007150556.tif 000003
【図２】
2007150556.tif 000004
【図３】
2007150556.tif 000005
【図４】
2007150556.tif 000006
【図５】
2007150556.tif 000007
【図６】
2007150556.tif 000008
【図７】
2007150556.tif 000009
【図８】
2007150556.tif 000010